(57)【特許請求の範囲】
【請求項１】
加入者のネットワークに配置される通信装置からのＤＨＣＰ（Dynamic  Host  Configuration  Protocol）ディスカバーメッセージに含まれるベンダー関連情報を取得する情報取得部と、
前記ベンダー関連情報に基づいて、前記通信装置のためのＩＰ（Internet  Protocol）アドレスを選択する選択部と、
選択された前記ＩＰアドレスを含むＤＨＣＰオファーメッセージを前記通信装置へ送信する送信部と、
を備える通信制御装置。
【請求項２】
前記ベンダー関連情報は、ベンダー識別のためのベンダー固有情報を含む、請求項１に記載の通信制御装置。
【請求項３】
前記ベンダー関連情報は、ベンダークラス識別子を含む、請求項１又は２に記載の通信制御装置。
【請求項４】
前記選択部は、前記ベンダー関連情報に基づいて、前記通信装置が対象装置であるかの判定を行い、当該判定の結果に基づいて、前記ＩＰアドレスを選択する、請求項１〜３のいずれか１項に記載の通信制御装置。
【請求項５】
前記選択部は、前記通信装置が対象装置である場合に、前記ＩＰアドレスとして、前記通信装置に対応する特定のＩＰアドレスを選択し、前記通信装置が対象装置ではない場合に、前記ＩＰアドレスとして所定範囲内のＩＰアドレスを選択する、請求項４に記載の通信制御装置。
【請求項６】
前記ＤＨＣＰオファーメッセージを生成する生成部をさらに備える、請求項１〜５のいずれか１項に記載の通信制御装置。
【請求項７】
前記通信制御装置は、ＤＨＣＰサーバ、又はＤＨＣＰサーバのためのモジュールである、請求項１〜６のいずれか１項に記載の通信制御装置。
【請求項８】
前記通信制御装置は、通信事業者のネットワークに配置される装置である、請求項１〜７のいずれか１項に記載の通信制御装置。
【請求項９】
加入者のネットワークに配置される通信装置からのＤＨＣＰディスカバーメッセージに含まれるベンダー関連情報を取得することと、
前記ベンダー関連情報に基づいて、前記通信装置のためのＩＰアドレスを選択することと、
選択された前記ＩＰアドレスを含むＤＨＣＰオファーメッセージを前記通信装置へ送信することと、
を含む方法。
【請求項１０】
加入者のネットワークに配置される通信装置からのＤＨＣＰディスカバーメッセージに含まれるベンダー関連情報を取得することと、
前記ベンダー関連情報に基づいて、前記通信装置のためのＩＰアドレスを選択することと、
選択された前記ＩＰアドレスを含むＤＨＣＰオファーメッセージを前記通信装置へ送信することと、
をプロセッサに実行させるためのプログラム。
【発明の詳細な説明】
【技術分野】
【０００１】
本発明は、ＤＨＣＰ（Dynamic  Host  Configuration  Protocol）のための通信制御装置、方法及びプログラムに関する。
【背景技術】
【０００２】
ＤＨＣＰは、ネットワークに接続する通信装置にＩＰ（Internet  Protocol）アドレスなどの必要な情報を自動で割り当てるプロトコルである。例えば、家庭内に配置されるブロードバンドルータが、ＤＨＣＰをサポートし、ＤＨＣＰサーバとして動作する。この場合に、ＤＨＣＰサーバが家庭内に存在するので、各加入者は、ＤＨＣＰから特定のＣＰＥ（Customer  Premises  Equipment）に特定のＩＰアドレスを割り当てることが可能である。
【０００３】
例えば、特許文献１には、ＤＨＣＰによるＩＰアドレスの割り当てに関する技術が開示されている。
【先行技術文献】
【特許文献】
【０００４】
【特許文献１】特開２０１２−１３４８５９号公報
【発明の概要】
【発明が解決しようとする課題】
【０００５】
仮想ＣＰＥ（ｖＣＰＥ）システムでは、通信事業者のネットワークにＤＨＣＰサーバが配置される。そのため、ｖＣＰＥシステムでは、特定のＣＰＥに特定のＩＰアドレスを割り振るには、通信事業者が全加入者の特定のＣＰＥに特定のＩＰアドレスを手動で設定する必要がある。また、ＤＨＣＰのＩＰアドレス自動割り当てでは、割り当てられるＩＰアドレスの範囲が予め決められ、その範囲内のＩＰアドレスが割り当てられるので、特定のＣＰＥに特定のＩＰアドレスを自動で設定することは難しい。
【０００６】
本発明の目的は、ＤＨＣＰサーバが加入者のネットワークに配置されない場合であっても特定の通信装置に特定のＩＰアドレスを割り当てることを可能にすることにある。
【課題を解決するための手段】
【０００７】
本発明の通信制御装置は、加入者のネットワークに配置される通信装置からのＤＨＣＰディスカバーメッセージに含まれるベンダー関連情報を取得する情報取得部と、上記ベンダー関連情報に基づいて、上記通信装置のためのＩＰアドレスを選択する選択部と、を備える。
【０００８】
本発明の方法は、加入者のネットワークに配置される通信装置からのＤＨＣＰディスカバーメッセージに含まれるベンダー関連情報を取得することと、上記ベンダー関連情報に基づいて、上記通信装置のためのＩＰアドレスを選択することと、を含む。
【０００９】
本発明のプログラムは、加入者のネットワークに配置される通信装置からのＤＨＣＰディスカバーメッセージに含まれるベンダー関連情報を取得することと、上記ベンダー関連情報に基づいて、上記通信装置のためのＩＰアドレスを選択することと、をプロセッサに実行させるためのプログラムである。
【発明の効果】
【００１０】
本発明によれば、ＤＨＣＰサーバが加入者のネットワークに配置されない場合であっても特定の通信装置に特定のＩＰアドレスを割り当てることが可能になる。なお、本発明により、当該効果の代わりに、又は当該効果とともに、他の効果が奏されてもよい。
【図面の簡単な説明】
【００１１】
【図１】ＤＨＣＰサーバが家庭内に存在するケースの例を説明するための説明図である。
【図２】第１の実施形態に係るシステムの概略的な構成の一例を示す説明図である。
【図３】第１の実施形態に係るＤＨＣＰサーバの概略的な構成の例を示すブロック図である。
【図４】第１の実施形態に係る処理の流れの例を説明するためのシーケンス図である。
【図５】第２の実施形態に係る通信制御装置の概略的な構成の例を示すブロック図である。
【図６】第１の実施形態に係る処理の流れの例を説明するためのシーケンス図である。
【発明を実施するための形態】
【００１２】
以下、添付の図面を参照して本発明の実施形態を詳細に説明する。なお、本明細書及び図面において、同様に説明されることが可能な要素については、同一の符号を付することにより重複説明が省略され得る。
【００１３】
説明は、以下の順序で行われる。
１．本発明の実施形態の概要
２．第１の実施形態
２．１．システムの構成
２．２．ＤＨＣＰサーバの構成
２．３．処理の流れ
２．４．応用例
３．第２の実施形態
３．１．通信制御装置の構成
３．２．処理の流れ
【００１４】
＜＜１．本発明の実施形態の概要＞＞
まず、本発明の実施形態の概要を説明する。
【００１５】
（１）技術的課題
例えば、図１に示されるように、家庭内に配置されるブロードバンドルータ８０が、ＤＨＣＰをサポートし、ＤＨＣＰサーバとして動作する。この場合に、ＤＨＣＰサーバが家庭内に存在するので、各加入者は、ＤＨＣＰから特定のＣＰＥ９０に特定のＩＰアドレスを割り当てることが可能である。
【００１６】
仮想ＣＰＥ（ｖＣＰＥ）システムでは、通信事業者のネットワークにＤＨＣＰサーバが配置される。そのため、ｖＣＰＥシステムでは、特定のＣＰＥに特定のＩＰアドレスを割り振るには、通信事業者が全加入者の特定のＣＰＥに特定のＩＰアドレスを手動で設定する必要がある。また、ＤＨＣＰのＩＰアドレス自動割り当てでは、割り当てられるＩＰアドレスの範囲が予め決められ、その範囲内のＩＰアドレスが割り当てられるので、特定のＣＰＥに特定のＩＰアドレスを自動で設定することは難しい。
【００１７】
そこで、本発明の実施形態は、ＤＨＣＰサーバが加入者のネットワークに配置されない場合であっても特定の通信装置（例えば特定のＣＰＥ）に特定のＩＰアドレスを割り当てることを可能にする。
【００１８】
（２）技術的特徴
本発明の実施形態では、例えば、ＤＨＣＰサーバは、加入者のネットワークに配置される通信装置（例えばＣＰＥ）からのＤＨＣＰディスカバーメッセージに含まれるベンダー関連情報に基づいて、当該通信装置のためのＩＰアドレスを選択する。
【００１９】
これにより、例えば、ＤＨＣＰサーバが加入者のネットワークに配置されない場合であっても特定の通信装置（例えば特定のＣＰＥ）に特定のＩＰアドレスを割り当てることが可能になる。
【００２０】
なお、上述した技術的特徴は本発明の実施形態の具体的な一例であり、当然ながら、本発明の実施形態は上述した技術的特徴に限定されない。
【００２１】
＜＜２．第１の実施形態＞＞
続いて、図２〜図４を参照して、本発明の第１の実施形態を説明する。
【００２２】
＜２．１．システムの構成＞
まず、図２を参照して、第１の実施形態に係るシステム１の構成の例を説明する。図２は、第１の実施形態に係るシステム１の概略的な構成の一例を示す説明図である。図２を参照すると、システム１は、ＤＨＣＰサーバ１００、ＮＡＴ（Network  Address  Translation）／ｖＢＲＡＳ（virtual  Broadband  Remote  Access  Server）サーバ１０、及びＣＰＥ２０を含む。例えば、システム１は、ｖＣＰＥシステムと呼ばれ得る。
【００２３】
ＤＨＣＰサーバ１００及びＮＡＴ／ｖＢＲＡＳサーバ１０は、通信事業者のネットワークに配置される。ＤＨＣＰサーバ１００及びＮＡＴ／ｖＢＲＡＳサーバ１０は、それぞれ別の装置として実装されてもよく、同一の装置として実装されてもよい。また、ＤＨＣＰサーバ１００及びＮＡＴ／ｖＢＲＡＳサーバ１０の各々は、物理的な装置上で動作する仮想マシン（及び当該物理的な装置）として実装されてもよい。
【００２４】
各ＣＰＥ２０は、加入者のネットワーク（例えば、家庭内ネットワーク又は企業内ネットワーク）に配置される。ここでは、各ＣＰＥ２０は、例えば、ＰＣ（Personal  Computer）、電話機、携帯電話機、又はスマートフォンなどのユーザ機器（User  Equipment：ＵＥ）である。例えば、ＣＰＥ２０は、加入者のネットワークに配置される通信機器（例えば、レイヤ２の機能を有する機器）を介して、通信事業者のネットワークに配置される装置（例えば、ＤＨＣＰサーバ１００又はＮＡＴ／ｖＢＲＡＳサーバ１０など）と通信する。上記通信機器は、Ｌ２  ＣＰＥと呼ばれてもよい。あるいは、ＣＰＥ２０自体が、加入者のネットワークに配置される通信機器（例えば、Ｌ２  ＣＰＥ）であってもよい。
【００２５】
各ＣＰＥ２０は、ＤＨＣＰクライアントとして動作し得る。そのため、各ＣＰＥ２０は、ＤＨＣＰクライアントということもできる。例えば、ＣＰＥ２０は、ＤＨＣＰディスカバーメッセージを送信し、これに応じて、ＤＨＣＰサーバ１００は、ＣＰＥ２０のためのＩＰアドレスを選択し、当該ＩＰアドレスを含むＤＨＣＰオファーメッセージを送信する。さらに、例えば、ＣＰＥ２０は、上記ＩＰアドレスに問題ない旨を報告するために、ＤＨＣＰリクエストメッセージを送信し、これに応じて、ＤＨＣＰサーバ１００は、ＤＨＣＰ  ＡＣＫ（Acknowledge）メッセージを送信する。
【００２６】
ＮＡＴ／ｖＢＲＡＳサーバ１０は、ＣＰＥ２０にＮＡＴ及びリモートアクセスのサービスを提供する。
【００２７】
これにより、例えば、ＣＰＥ２０は、インターネット経由で通信することができる。
【００２８】
＜２．２．ＤＨＣＰサーバの構成＞
次に、図３を参照して、第１の実施形態に係るＤＨＣＰサーバ１００の構成の例を説明する。図３は、第１の実施形態に係るＤＨＣＰサーバ１００の概略的な構成の例を示すブロック図である。図３を参照すると、ＤＨＣＰサーバ１００は、受信部１１０、情報取得部１２０、選択部１３０、生成部１４０及び送信部１５０を備える。
【００２９】
（１）受信部１１０
受信部１１０は、ＣＰＥ２０からのＤＨＣＰディスカバーメッセージを受信する。
【００３０】
また、例えば、受信部１１０は、ＣＰＥ２０からのＤＨＣＰリクエストメッセージを受信する。
【００３１】
（２）情報取得部１２０
情報取得部１２０は、ＣＰＥ２０からのＤＨＣＰディスカバーメッセージに含まれるベンダー関連情報を取得する。
【００３２】
例えば、上記ベンダー関連情報は、ベンダー識別のためのベンダー固有情報を含む。より具体的には、例えば、当該ベンダー固有情報は、ＤＨＣＰディスカバーメッセージのＯｐｔｉｏｎ１２５であるベンダー識別ベンダー固有情報オプション（Vendor-Identifying  Vendor-Specific  Information  Option）である。
【００３３】
例えば、上記ベンダー関連情報は、ベンダークラス識別子を含む。より具体的には、例えば、当該ベンダークラス識別子は、ＤＨＣＰディスカバーメッセージのＯｐｔｉｏｎ６０であるベンダークラス識別子（Vendor  Class  Identifier）である。
【００３４】
ＤＨＣＰディスカバーメッセージのＯｐｔｉｏｎ６０及びＯｐｔｉｏｎ１２５は、ＤＨＣＰ  ＲＦＣ  ３９２５に記載されている。
【００３５】
（３）選択部１３０
選択部１３０は、上記ベンダー関連情報に基づいて、ＣＰＥ２０のためのＩＰアドレスを選択する。
【００３６】
例えば、選択部１３０は、上記ベンダー関連情報（例えば、Ｏｐｔｉｏｎ１２５（及びＯｐｔｉｏｎ６０））に基づいて、ＣＰＥ２０が対象装置であるかの判定を行う。そして、選択部１３０は、当該判定の結果に基づいて、上記ＩＰアドレスを選択する。
【００３７】
より具体的には、例えば、ＣＰＥ２０が対象装置である場合には、選択部１３０は、上記ＩＰアドレスとして、ＣＰＥ２０に対応する特定のＩＰアドレスを選択する。例えば、ＤＨＣＰサーバ１００は、対象装置（又は対象装置のグループ）とそれに対応するＩＰアドレスとの関係を示す情報を保有し、この情報に基づいて、ＣＰＥ２０（対象装置）に対応するＩＰアドレスを選択する。
【００３８】
一方、例えば、ＣＰＥ２０が対象装置ではない場合には、選択部１３０は、上記ＩＰアドレスとして、所定範囲内のＩＰアドレスを選択する。例えば、選択部１３０は、当該所定範囲内の使用されていない任意のＩＰアドレスを選択する。
【００３９】
（４）生成部１４０
生成部１４０は、選択された上記ＩＰアドレスを含むＤＨＣＰオファーメッセージを生成する。
【００４０】
また、例えば、生成部１４０は、ＣＰＥ２０からのＤＨＣＰリクエストメッセージに応じて、ＤＨＣＰ  ＡＣＫメッセージを生成する。
【００４１】
（５）送信部１５０
送信部１５０は、上記ＤＨＣＰオファーメッセージを送信する。
【００４２】
また、例えば、送信部１５０は、上記ＤＨＣＰ  ＡＣＫメッセージを送信する。
【００４３】
例えば、受信部１１０及び送信部１５０は、アンテナ、ＲＦ（Radio  Frequency）回路及び／又はベースバンドプロセッサなどにより実装され得る。また、情報取得部１２０、選択部１３０及び／又は生成部１４０は、プロセッサ（及びプログラム）により実装されてもよい。
【００４４】
＜２．３．処理の流れ＞
次に、図４を参照して、第１の実施形態に係る処理の流れの例を説明する。図４は、第１の実施形態に係る処理の流れの例を説明するためのシーケンス図である。
【００４５】
ＣＰＥ２０は、ＤＨＣＰディスカバーメッセージを送信する（Ｓ２０１）。ＤＨＣＰサーバ１００は、上記ＤＨＣＰディスカバーメッセージに含まれるＯｐｔｉｏｎ６０及びＯｐｔｉｏｎ１２５を取得し、チェックする（Ｓ２０３）。具体的には、ＣＰＥ２０は、Ｏｐｔｉｏｎ６０及びＯｐｔｉｏｎ１２５に基づいて、ＣＰＥ２０が対象装置（対象ＣＰＥ）であるかの判定を行う。
【００４６】
ＣＰＥ２０が対象装置（対象ＣＰＥ）である場合には、ＤＨＣＰサーバ１００は、ＣＰＥ２０に対応する特定のＩＰアドレスを選択し、当該特定のＩＰアドレスを含むＤＨＣＰオファーメッセージを生成し、送信する（Ｓ２０５）。
【００４７】
ＣＰＥ２０が対象装置（対象ＣＰＥ）ではない場合には、ＤＨＣＰサーバ１００は、所定範囲内のＩＰアドレスを選択し、当該ＩＰアドレスを含むＤＨＣＰオファーメッセージを生成し、送信する（Ｓ２０７）。
【００４８】
ＣＰＥ２０は、上記ＩＰアドレスに問題ない旨を報告するために、ＤＨＣＰリクエストメッセージを送信する（Ｓ２０９）。
【００４９】
ＤＨＣＰサーバ１００は、上記ＤＨＣＰリクエストメッセージに応じて、ＤＨＣＰ  ＡＣＫメッセージを送信する（Ｓ２１１）。
【００５０】
その後、ＣＰＥ２０は、上記ＩＰアドレスを設定する。
【００５１】
以上、第１の実施形態（応用例を除く）を説明した。第１の実施形態によれば、ＤＨＣＰサーバが加入者のネットワークに配置されない場合であっても（例えば、ＤＨＣＰサーバが通信事業者のネットワークに配置される場合であっても）、特定のＣＰＥ（対象装置）に特定のＩＰアドレスを割り当てることが可能になる。
【００５２】
＜２．４．応用例＞
次に、第１の実施形態の応用例を説明する。具体的には、上述したように特定のＣＰＥ（対象装置）に特定のＩＰアドレスを割り当てることによって、通信事業者は、以下のようなオペレーションが可能になる。
【００５３】
（１）第１の応用例
例えば、特定のＣＰＥ（対象装置）に故障又は設定誤りが発生した際に、通信事業者は、当該特定のＣＰＥに割り当てられたＩＰアドレスを調査することなく、通信事業者のセンターから当該特定のＣＰＥについての情報収集及び／又は設定変更などを行うことができる。よって、通信事業者の運用コスト（ＯＰＥＸ）が低減され得る。
【００５４】
（２）第２の応用例
例えば、企業向けのｖＣＰＥシステムにおいて、ＣＰＥの製品種別ごとにＩＰアドレスを割り当てることにより、全拠点（全事業所）のＩＰアドレスの一元管理を容易に行うことができる。
【００５５】
また、各拠点内の機器（例えば、ＦＡＸ、印刷機、コピー機、ストレージ）に全拠点で共通のＩＰアドレスを割り当てることにより、（例えば通信事業者のセンターなどから）一斉にソフトウェアの更新、及び／又はファームウェアの更新などを効率的に行うことができる。
【００５６】
これにより、通信事業者の運用コスト（ＯＰＥＸ）が低減され得る。
【００５７】
（３）第３の応用例
企業内ネットワークに見知らぬノートＰＣ又はＰＣが接続しようとした場合に、ＤＨＣＰサーバがＣＰＥの区別を行い、ＩＰアドレスを割り当てないようにすることができる。これにより、セキュリティが向上し得る。
【００５８】
また、来客のＣＰＥ（例えばノートＰＣ）が社内のイントラネット経由で接続される場合に、ＣＰＥの区別なしに来客のＣＰＥを外部インターネットに接続するのではなく、ＣＰＥの区別を行って来客のＣＰＥには社内の閉域網のＩＰアドレスを割り当てるようにすることができる。これにより、来客のＣＰＥのセキュリティも向上し得る。
【００５９】
＜＜３．第２の実施形態＞＞
続いて、図５及び図６を参照して、本発明の第２の実施形態を説明する。上述した第１の実施形態は、具体的な実施形態であるが、第２の実施形態は、より一般化された実施形態である。
【００６０】
＜３．１．通信制御装置の構成＞
まず、図５を参照して、第２の実施形態に係る通信制御装置３００の構成の例を説明する。図５は、第２の実施形態に係る通信制御装置３００の概略的な構成の例を示すブロック図である。図５を参照すると、通信制御装置３００は、情報取得部３１０及び選択部３２０を備える。例えば、通信制御装置３００は、ＤＨＣＰサーバ、又はＤＨＣＰサーバのためのモジュールである。
【００６１】
情報取得部３１０は、加入者のネットワークに配置される通信装置からのＤＨＣＰディスカバーメッセージに含まれるベンダー関連情報を取得する。選択部３２０は、当該ベンダー関連情報に基づいて、上記通信装置のためのＩＰアドレスを選択する。
【００６２】
一例として、情報取得部３１０及び選択部３２０は、それぞれ、第１の実施形態に係る情報取得部１２０及び選択部１３０と同様に動作する。また、例えば、上記通信装置は、第１の実施形態に係るＣＰＥ２０と同様に動作する。これらに関する説明は、上述したとおりである。よって、ここでは重複する説明を省略する。
【００６３】
なお、通信制御装置３００は、第１の実施形態に係るＤＨＣＰサーバ１００に含まれる１つ以上の構成要素（例えば、受信部１１０、生成部１４０及び／又は送信部１５０）と同様に動作する構成要素をさらに備えてもよい。
【００６４】
例えば、情報取得部３１０及び選択部３２０は、プロセッサ（及びプログラム）により実装される。
【００６５】
＜３．２．処理の流れ＞
次に、図４を参照して、第１の実施形態に係る処理の流れの例を説明する。図４は、第１の実施形態に係る処理の流れの例を説明するためのシーケンス図である。
【００６６】
情報取得部３１０は、加入者のネットワークに配置される通信装置からのＤＨＣＰディスカバーメッセージに含まれるベンダー関連情報を取得する（Ｓ４０１）。
【００６７】
選択部３２０は、上記ベンダー関連情報に基づいて、上記通信装置のためのＩＰアドレスを選択する（４０３）。
【００６８】
以上、第２の実施形態を説明した。第２の実施形態によれば、ＤＨＣＰサーバが加入者のネットワークに配置されない場合であっても（例えば、ＤＨＣＰサーバが通信事業者のネットワークに配置される場合であっても）、特定の通信装置（対象装置）に特定のＩＰアドレスを割り当てることが可能になる。
【００６９】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【００７０】
例えば、本明細書に記載されている処理におけるステップは、必ずしもシーケンス図又はフローチャートに記載された順序に沿って時系列に実行されなくてよい。例えば、処理におけるステップは、シーケンス図又はフローチャートとして記載した順序と異なる順序で実行されても、並列的に実行されてもよい。
【００７１】
また、本明細書において説明したＤＨＣＰサーバ又は通信制御装置の構成要素の処理を含む方法が提供されてもよく、当該構成要素の処理をプロセッサに実行させるためのプログラムが提供されてもよい。また、当該プログラムを記録した記録媒体が提供されてもよい。当然ながら、このような方法、プログラム及び記録媒体も本発明に含まれる。
【００７２】
上記実施形態の一部又は全部は、以下の付記のようにも記載され得るが、以下には限られない。
【００７３】
（付記１）
加入者のネットワークに配置される通信装置からのＤＨＣＰ（Dynamic  Host  Configuration  Protocol）ディスカバーメッセージに含まれるベンダー関連情報を取得する情報取得部と、
前記ベンダー関連情報に基づいて、前記通信装置のためのＩＰ（Internet  Protocol）アドレスを選択する選択部と、
を備える通信制御装置。
【００７４】
（付記２）
前記ベンダー関連情報は、ベンダー識別のためのベンダー固有情報を含む、付記１に記載の通信制御装置。
【００７５】
（付記３）
前記ベンダー関連情報は、ベンダークラス識別子を含む、付記１又は２に記載の通信制御装置。
【００７６】
（付記４）
前記選択部は、前記ベンダー関連情報に基づいて、前記通信装置が対象装置であるかの判定を行い、当該判定の結果に基づいて、前記ＩＰアドレスを選択する、付記１〜３のいずれか１項に記載の通信制御装置。
【００７７】
（付記５）
前記選択部は、前記通信装置が対象装置である場合に、前記ＩＰアドレスとして、前記通信装置に対応する特定のＩＰアドレスを選択し、前記通信装置が対象装置ではない場合に、前記ＩＰアドレスとして所定範囲内のＩＰアドレスを選択する、付記４に記載の通信制御装置。
【００７８】
（付記６）
選択された前記ＩＰアドレスを含むＤＨＣＰオファーメッセージを生成する生成部をさらに備える、付記１〜５のいずれか１項に記載の通信制御装置。
【００７９】
（付記７）
前記通信制御装置は、ＤＨＣＰサーバ、又はＤＨＣＰサーバのためのモジュールである、付記１〜６のいずれか１項に記載の通信制御装置。
【００８０】
（付記８）
前記通信制御装置は、通信事業者のネットワークに配置される装置である、付記１〜７のいずれか１項に記載の通信制御装置。
【００８１】
（付記９）
加入者のネットワークに配置される通信装置からのＤＨＣＰディスカバーメッセージに含まれるベンダー関連情報を取得することと、
前記ベンダー関連情報に基づいて、前記通信装置のためのＩＰアドレスを選択することと、
を含む方法。
【００８２】
（付記１０）
加入者のネットワークに配置される通信装置からのＤＨＣＰディスカバーメッセージに含まれるベンダー関連情報を取得することと、
前記ベンダー関連情報に基づいて、前記通信装置のためのＩＰアドレスを選択することと、
をプロセッサに実行させるためのプログラム。
【符号の説明】
【００８３】
１              システム
１００          ＤＨＣＰサーバ
１２０、３１０  情報取得部
１３０、３２０  選択部
１４０          生成部
３００          通信制御装置
【図１】
0006766393.tif 000002
【図２】
0006766393.tif 000003
【図３】
0006766393.tif 000004
【図４】
0006766393.tif 000005
【図５】
0006766393.tif 000006
【図６】
0006766393.tif 000007